(57)【要約】【課題】簡単な構造で製造に多大な手間が掛からない両開き扉を提供する。【解決手段】外面１２の両側にそれぞれ配設された第１及び第２の把手（左把手３０、右把手４０）と、内部の両側にそれぞれ配設され、上下方向に延在する第１及び第２の回動軸（左回動軸３４、右回動軸４４）とを備える。第１の回動軸は、第１の把手に対する所定の操作に連動し、上下端部が外部に突出して被取付面（扉取付枠７０）の第１の係合孔（左係合孔７６）に回動自在に係合した状態と、その状態から退いて第１の係合孔との係合が解除された状態とを選択可能とされている。第２の回動軸は、第２の把手に対する所定の操作に連動し、上下端部が外部に突出して被取付面の第２の係合孔（右係合孔８６）に回動自在に係合した状態と、その状態から退いて第２の係合孔との係合が解除された状態とを選択可能とされている。【選択図】図２
2009299280.tif 000002
【特許請求の範囲】
【請求項１】
外面の両側にそれぞれ配設された第１及び第２の把手と、
内部の両側にそれぞれ配設され、上下方向に延在する第１及び第２の回動軸とを備え、
該第１の回動軸は、前記第１の把手に対する所定の操作に連動し、上下端部が外部に突出して被取付面の第１の係合孔に回動自在に係合した状態と、その状態から退いて前記第１の係合孔との係合が解除された状態とを選択可能とされており、
前記第２の回動軸は、前記第２の把手に対する所定の操作に連動し、上下端部が外部に突出して前記被取付面の第２の係合孔に回動自在に係合した状態と、その状態から退いて前記第２の係合孔との係合が解除された状態とを選択可能とされていることを特徴とする両開き扉。
【請求項２】
前記第１及び第２の回動軸の下端部にそれぞれ設けられ、前記第１又は第２の係合孔に係合した状態でそれらの周囲の前記被取付面に当接する回転座を備えたことを特徴とする請求項１に記載の両開き扉。
【請求項３】
前記被取付面に当接する前記回転座の下面をフッ素樹脂にて構成したことを特徴とする請求項１又は請求項２に記載の両開き扉。
【請求項４】
前記回転座は、荷重を受けるための段差部と、該段差部の下側に設けられたワッシャを備え、該ワッシャをフッ素樹脂製ワッシャ、若しく、はフッ素樹脂がコーティングされたワッシャにて構成したことを特徴とする請求項３に記載の両開き扉。
【発明の詳細な説明】
【技術分野】
【０００１】
本発明は、両側から開くことができる扉に関し、特に、両開き扉の左右両側を同時に拘束、且つ、同時に開放することができる両開き扉に関するものである。
【背景技術】
【０００２】
従来よりこの種両開き扉（両開きドア）は、ドアの両側上下端部にそれぞれ上下方向に出没自在の支軸が設けられている。また、ドア枠の両側上下には各支軸が嵌入する軸受孔がそれぞれ設けられると共に、上下の支軸間にリンクを介して把手が連結されている。そして、左右何れか一方の把手をドアの中央方向に移動させることにより、左右何れか他方上下の支軸がドアの上下端部（軸受孔）から引っ込められる。これにより、ドアは何れか一方の支軸を支点に開閉できると共に、何れか他方の支軸を支点に開閉できるように構成されていた（特許文献１参照）。
【特許文献１】特開平６−３４１２６５号公報
【発明の開示】
【発明が解決しようとする課題】
【０００３】
しかしながら、係る両開き扉の左右何れか一方の把手が操作されることにより、反対側の把手に対応する支軸を中心としてドアが回動して開き、他方の把手が操作されることにより、反対側の把手に対応する支持金具を中心としてドアが回動して開くように構成されていた。このような構成の両開き扉は、複雑な構造をしており、製造に多大な手間も掛かり汎用性にも乏しかった。
【０００４】
本発明は、係る従来技術の課題を解決するために成されたものであり、簡単な構造で製造に多大な手間が掛からない両開き扉を提供することを目的とする。
【課題を解決するための手段】
【０００５】
即ち、本発明の両開き扉は、外面の両側にそれぞれ配設された第１及び第２の把手と、内部の両側にそれぞれ配設され、上下方向に延在する第１及び第２の回動軸とを備え、該第１の回動軸は、第１の把手に対する所定の操作に連動し、上下端部が外部に突出して被取付面の第１の係合孔に回動自在に係合した状態と、その状態から退いて第１の係合孔との係合が解除された状態とを選択可能とされており、第２の回動軸は、第２の把手に対する所定の操作に連動し、上下端部が外部に突出して被取付面の第２の係合孔に回動自在に係合した状態と、その状態から退いて第２の係合孔との係合が解除された状態とを選択可能とされていることを特徴とする。
【０００６】
また、請求項２の発明の両開き扉は、上記に加えて、第１及び第２の回動軸の下端部にそれぞれ設けられ、第１又は第２の係合孔に係合した状態でそれらの周囲の被取付面に当接する回転座を備えたことを特徴とする。
【０００７】
また、請求項３の発明の両開き扉は、請求項１又は請求項２において、被取付面に当接する回転座の下面をフッ素樹脂にて構成したことを特徴とする。
【０００８】
また、請求項４の発明の両開き扉は、請求項３において、回転座は、荷重を受けるための段差部と、該段差部の下側に設けられたワッシャを備え、該ワッシャをフッ素樹脂製ワッシャ、若しくは、フッ素樹脂がコーティングされたワッシャにて構成したことを特徴とする。
【発明の効果】
【０００９】
本発明によれば、外面の両側にそれぞれ配設された第１及び第２の把手と、内部の両側にそれぞれ配設され、上下方向に延在する第１及び第２の回動軸とを備え、該第１の回動軸は、第１の把手に対する所定の操作に連動し、上下端部が外部に突出して被取付面の第１の係合孔に回動自在に係合した状態と、その状態から退いて第１の係合孔との係合が解除された状態とを選択可能とされており、第２の回動軸は、第２の把手に対する所定の操作に連動し、上下端部が外部に突出して被取付面の第２の係合孔に回動自在に係合した状態と、その状態から退いて第２の係合孔との係合が解除された状態とを選択可能とされているので、第１の把手を操作すれば、第２の回動軸を支点にして扉の開閉を行うことができると共に、第２の把手を操作すれば、第１の回動軸を支点にして扉の開閉を行うことができる。これにより、例えば、どちらか開きたい方の把手を操作すれば、左右の何れの方向からでも扉の開閉を行うことが可能となる。
【００１０】
特に、第１及び第２の把手を同時に操作し、第１及び第２の回動軸を上下端部の被取付面から退かせれば、被取付面への扉の着脱を行うことができる。これにより、扉を複数枚並べて設置すれば宴会場や部屋の間仕切りなどに利用することが可能となる。従って、両開き扉の汎用性を大幅に向上させることができる。
【００１１】
また、請求項２の発明によれば、上記に加えて、第１及び第２の回動軸の下端部にそれぞれ設けられ、第１又は第２の係合孔に係合した状態でそれらの周囲の被取付面に当接する回転座を備えたので、例えば、請求項３の如く、被取付面に当接する回転座の下面をフッ素樹脂にて構成すれば、扉の開閉時に摩擦音などの異音発生もなく、円滑に開閉を行うことが可能となる。これにより、回転座が大きな荷重を受けた場合でも、回転座或いは回転座下の被取付面に形成された係合孔周囲が摩耗してしまうなどと言った不都合を未然に防止することができる。また、回転座の下面をフッ素樹脂にて構成するだけなので、両開き扉の構造も簡単にすることができ、製造に多大な手間も掛からず、両開き扉のコストの低減を図ることができる。
【００１２】
また、請求項４の発明によれば、請求項３において、回転座は、荷重を受けるための段差部と、該段差部の下側に設けられたワッシャを備え、該ワッシャをフッ素樹脂製ワッシャ、若しくは、フッ素樹脂がコーティングされたワッシャにて構成したので、回転座にフッ素樹脂製ワッシャ、若しくは、フッ素樹脂がコーティングされたワッシャを装着するだけで、扉の開閉時に摩擦音などの発生を防止することが可能となる。これにより、両開き扉を廉価に製造することができる。
【００１３】
特に、段差部の下側にワッシャを装着するだけなので、両開き扉を長期間使用してワッシャが摩耗した場合でも、ワッシャを容易に交換することができる。従って、長期間両開き扉を使用しても、扉の開閉時に摩擦音などの異音発生を抑えることができ、また、回転座に長期間大きな荷重を受けた場合でも、回転座或いは回転座下の被取付面に形成された係合孔周囲の摩耗を防止することができるようになるものである。
【発明を実施するための最良の形態】
【００１４】
本発明は、汎用性に優れ、製造に多大な手間も掛からず簡単な構造にしたことを最も主な特徴とする。製造に多大な手間が掛からず簡単な構造にするという目的を、第１及び第２の回動軸の下端部にそれぞれ被取付面に当接する回転座を備えるだけの簡単な構成で実現した。
【実施例１】
【００１５】
次に、図面に基づき本発明の実施の形態を詳述する。図１は本発明の一実施例を示す両開き扉１０の正面図、図２は本発明の一実施例を示す両開き扉１０（内部構成）の正面図（表パネル１４を図示せず）、図３は本発明の一実施例を示す両開き扉１０（内部構成）の拡大正面図（表パネル１４を図示せず）、図５は本発明の両開き扉１０が取り付けられる扉取付枠７０の正面図、図６は本発明の両開き扉１０を構成するリンク装置５４の拡大図をそれぞれ示している。
【００１６】
本実施形態における両開き扉１０は、図１に示すように、一面側（表面側）に設けられた表パネル１４と、この表パネル１４に対向して他面側（裏面側）に設けられた裏パネル１６（図２に図示）とから構成されると共に、外面１２（表パネル１４）左側に左把手３０（本発明の第１の把手に相当）、右側に右把手４０（本発明の第２の把手に相当）を備えている。該左把手３０は、図２に示すように上下方向（後述する上横框２２と下横框２４方向）に約１５０．０ｍｍ〜２００．０ｍｍ延在すると共に、左把手３０上部に設けられた把手左軸３２を支点にして回転可能に構成されている。
【００１７】
また、左把手３０は、両開き扉１０内部に設けられ、後述するリンク装置５４にて上下方向に移動自在の左回動軸３４（本発明の第１の回動軸に相当）に連結されている。また、左回動軸３４は、円柱形状に形成されると共に、当該左把手３０より所定寸法上方に延在する左上回動軸３５と、左把手３０より所定寸法下方に延在する左下回動軸３６とから構成されている。
【００１８】
また、右把手４０も左把手３０同様、上下方向に約１５０．０ｍｍ〜２００．０ｍｍ延在すると共に、把手右軸４２（図２に図示）を支点にして回転可能に構成されている。また、右把手４０は、後述するリンク装置５４にて上下方向に移動自在の右回動軸４４（本発明の第２の回動軸に相当）が連結されている。この右回動軸４４は、左回動軸３４同様円柱形状に形成されると共に、右把手４０より上方に延在する右上回動軸４５と、右把手４０より下方に延在する右下回動軸４６とから構成されている。該左回動軸３４及び右回動軸４４は、両開き扉１０を支持可能な強度を有している。
【００１９】
両開き扉１０の周囲には扉枠２０が設けられており、この扉枠２０は両開き扉１０の上部に設けられた上横框２２と下部に設けられた下横框２４と左側に設けられた左縦框２６と右側に設けられた右縦框２８とによって、縦長略矩形状に形成されている。即ち、両開き扉１０は縦長略矩形状に形成され、該扉枠２０の前面に表パネル１４が取り付けられると共に、裏面に裏パネル１６が取り付けられて内部に空間が形成されている。尚、扉枠２０（上横框２２、下横框２４、左縦框２６、右縦框２８）は図２、図３、図１０、図１２のみ図示している。
【００２０】
また、上横框２２の左右両側近傍には上挿通孔２３、２３が設けられており、この上挿通孔２３、２３は上横框２２を上下方向に貫通して設けられると共に、左上回動軸３５、右上回動軸４５を挿通可能に形成されている。また、下横框２４の左右両側近傍には下挿通孔２５、２５が設けられており、この下挿通孔２５、２５は下横框２４を上下方向に貫通して設けられると共に、左下回動軸３６及び右下回動軸４６に設けられた後述する回動軸支持具６０を挿通可能に形成されている。
【００２１】
該裏パネル１６の上部左右、及び、下部左右には、図３に示すように案内部材５０が溶接、若しくは、ネジにて固定されている。各案内部材５０にはそれぞれ案内孔５１が設けられている。これらの各案内孔５１は、前記左上回動軸３５と右上回動軸４５とを上挿通孔２３、２３内に、左下回動軸３６と右下回動軸４６とを下挿通孔２５、２５内に案内すると共に、後述する扉取付枠７０に設けられた左右の係合孔７６、８６内に案内するように構成されている。尚、各案内部材５０は、裏パネル１６側に限られず、表パネル１４側に設けても差し支えない。
【００２２】
一方、扉取付枠７０（本発明の被取付面に相当）は図３、図４、図５に示すように、上横枠７１と下横枠７２とが所定の間隔を存して上下に設けられており、左縦枠７３と右縦枠７４とが所定の間隔を存して左右に設けられている。そして、これら上横枠７１と下横枠７２、左縦枠７３と右縦枠７４とによって、扉取付枠７０は縦長略矩形状に形成されると共に、この扉取付枠７０内側に両開き扉１０が開閉可能に嵌め込めるように構成されている。尚、両開き扉１０が扉取付枠７０内側に嵌め込まれた状態で、当該両開き扉１０の扉枠２０周囲と扉取付枠７０とは約３．０〜５．０ｍｍの隙間が開くように構成されている。
【００２３】
上横枠７１と下横枠７２との左端近傍には、左係合孔７６（本発明の第１の係合孔に相当）が設けられており、右端近傍には、右係合孔８６（本発明の第２の係合孔に相当）が設けられている。該左係合孔７６は、左上係合孔７７と左下係合孔７８にて構成されると共に、右係合孔８６は、右上係合孔８７と右下係合孔８８にて構成されている。
【００２４】
詳しくは、上横枠７１の左端近傍には左上係合孔７７、下横枠７２の左端近傍には左下係合孔７８が設けられると共に、上横枠７１の右端近傍には右上係合孔８７、下横枠７２の右端近傍には右下係合孔８８が設けられている。各係合孔７７、７８、８７、８８は前記各回動軸３５、３６、４５、４６より少許大きな孔径にて形成され、当該各回動軸３５、３６、４５、４６の端部が挿脱可能、且つ、回動自在に構成されている。
【００２５】
また、左下回動軸３６下端より少許上方には、両開き扉１０の荷重を受けるための回動軸支持具６０（本発明の回転座に相当）が設けられており、この回動軸支持具６０は、厚さ約５．０ｍｍ〜２０．０ｍｍ、外径は左下回動軸３６の約１．５倍の径に形成されている。詳しくは、回動軸支持具６０の外径は、表パネル１４及び裏パネル１６に接触せず、下挿通孔２５を通過可能な外径に形成されると共に、左下係合孔７８及び右下係合孔８８より大きな外径に形成されている。回動軸支持具６０の内径は左下回動軸３６に嵌合可能な大きさに形成されると共に、溶接、若しくは、ネジが螺合されて左下回動軸３６に固定されている。該回動軸支持具６０の下面には、下横枠７２と円滑に回動動作させるために合成樹脂加工が施されている。即ち、回動軸支持具６０の下面（下横枠７２側）には、例えば耐熱性・耐薬品性・耐衝撃性・耐摩耗性などに優れたフッ素樹脂加工が施されている。尚、フッ素樹脂は、化学的に安定で耐熱性、耐薬品性に優れていると共に、現在までに発見されている物質の中で最も摩擦係数の小さい物質であると言われている。
【００２６】
この場合、フッ素樹脂加工は回動軸支持具６０の下面に限らず、回動軸支持具６０全体にフッ素樹脂加工を施しても差し支えない。また、回動軸支持具６０をフッ素樹脂加工せずに、ワッシャ６６（フッ素樹脂製ワッシャ、若しくは、フッ素樹脂がコーティングされたワッシャ）を左下回動軸３６の下面側（下横枠７２側）に挿着しても差し支えない。この場合、ワッシャ６６の内径を左下回動軸３６よりも少許小径にして、回動軸支持具６０の下面側に嵌着すれば、両開き扉１０の開閉時や移動時などにも落下することがない。これにより、回動軸支持具６０の下面側に嵌着したワッシャ６６が、左下回動軸３６から外れて紛失してしまうなどの不都合を防止することができ、便利である。尚、フッ素樹脂加工及びフッ素樹脂製ワッシャ、若しくは、フッ素樹脂がコーティングされたワッシャを、フッ素系樹脂としてのテフロン（登録商標）加工、及びテフロン（登録商標）ワッシャ、若しくは、テフロン（登録商標）がコーティングされたワッシャに置き換えても同様の効果を得ることができる。また、フッ素系樹脂としてのテフロン（登録商標）は、デュポン社の商品名で、正式名はポリテトラフルオロエチレンと称されている。また、フッ素系樹脂は、ポリテトラフルオロエチレンに限らず、それ以外のフッ素系樹脂であっても差し支えない。
【００２７】
また、左下回動軸３６に回動軸支持具６０が固定された状態で、当該左下回動軸３６は回動軸支持具６０よりも所定寸法延在している。詳しくは、左下回動軸３６に回動軸支持具６０が固定された状態で、当該左下回動軸３６は回動軸支持具６０よりも２０．０ｍｍ〜２５．０ｍｍ延在している。尚、左下回動軸３６の下端は、Ｃ面取り、若しくは、アール面取り加工されており、これによって、左下回動軸３６が左下係合孔７８（右下係合孔８８）に入り易くなるように構成されてる。
【００２８】
他方、前記リンク装置５４は、図６に示すように複数のリンク部材５６が回動自在に連結されると共に、収納箱５２内に収納されている。該リンク装置５４には把手左軸３２が回動可能に設けられており、この把手左軸３２に当該把手左軸３２を回動可能に左把手３０が固定されている。そして、把手左軸３２には補助アーム５８が固定され、この補助アーム５８にリンク部材５６が連結されている。即ち、左把手３０は把手左軸３２を介して補助アーム５８が固定され、この補助アーム５８の一側（上側）にはリンク部材５６を介して左上回動軸３５が連結されると共に、補助アーム５８の他側（下側）にはリンク部材５６を介して左下回動軸３６が連結されている。
【００２９】
該リンク装置５４は、左把手３０が把手左軸３２を支点にして反時計方向に回動されると、図７点線矢印で示すように補助アーム５８に連結された複数のリンク部材５６は、把手左軸３２に引き寄せられる方向に移動する。複数のリンク部材５６が把手左軸３２に引き寄せられる方向に移動すると、この移動に伴って、図中実線矢印で示すように左上回動軸３５及び左下回動軸３６も把手左軸３２方向に引き寄せられる。
【００３０】
また、リンク装置５４は、左把手３０が把手左軸３２を支点にして時計方向に回動されると、図８点線矢印で示すように補助アーム５８に連結された複数のリンク部材５６は、把手左軸３２から離間する方向に移動する。複数のリンク部材５６が把手左軸３２から離間する方向に移動すると、この移動に伴って、図中実線矢印で示すように左上回動軸３５及び左下回動軸３６も把手左軸３２から離間する方向に移動する。係る左把手３０の回動により、リンク装置５４が左上回動軸３５及び左下回動軸３６を把手左軸３２方向に引き寄せると共に、離間させる技術については、従来より周知の技術であるため詳細な説明を省略する。
【００３１】
詳しくは、図９に示すように把手左軸３２を支点に、左把手３０が垂直方向（上下方向）から水平方向（左右方向）に操作（反時計方向に４０°〜６０°回動操作）されると、下横框２４より下方に突出している回動軸支持具６０は案内部材５０の案内孔５１に近接し、左下回動軸３６の下端は、下横枠７２の左下係合孔７８より脱出して（退いて）、下横框２４に設けた下挿通孔２５より内側（案内部材５０側）に移動させる。尚、以降左把手３０（右把手４０を含む）の操作は４０°〜６０°程度を水平方向と称す。
【００３２】
また、上横框２２より上方に突出している左上回動軸３５の上端は、上横枠７１の左上係合孔７７より脱出して（退いて）、上横框２２に設けた上挿通孔２３より内側（案内部材５０側）に移動させる。即ち、左把手３０が垂直方向から水平方向に操作（反時計方向に回動操作）されると、左回動軸３４（左上回動軸３５、左下回動軸３６）は、扉取付枠７０の左係合孔７６（左上係合孔７７、左下係合孔７８）に回動自在に係合した状態から退く。
【００３３】
また、左把手３０が水平方向から垂直方向に操作（時計方向に回動操作）されると、左上回動軸３５の上端は、上横框２２より約１５．０ｍｍ〜２０．０ｍｍ上方に突出する。そして、上横框２２より上方に突出した左上回動軸３５の上端は、上横枠７１に設けられた左上係合孔７７内に所定寸法（約１．０ｍｍ〜５．０ｍｍ）挿入される。即ち、左把手３０が水平方向から垂直方向に回動操作（時計方向に回動操作）されると、左回動軸３４（左上回動軸３５、左下回動軸３６）は、扉取付枠７０の左係合孔７６（左上係合孔７７、左下係合孔７８）に挿入され回動自在に係合される。
【００３４】
一方、両開き扉１０を表パネル１４側から見て左側に左把手３０が設けられ、裏パネル１６側から見て左側に左把手３０が設けられると共に、表パネル１４側から見て右側に右把手４０が設けられ、裏パネル１６側から見て右側に右把手４０が設けられている。詳しくは、両開き扉１０は、把手左軸３２の表パネル１４側に左把手３０が設けられ、把手左軸３２の裏パネル１６側に右把手４０が設けられると共に、把手右軸４２の表パネル１４側に右把手４０が設けられ、把手右軸４２の裏パネル１６側に左把手３０が設けられている。即ち、両開き扉１０は、裏表どちらの面にも左側には左把手３０、右側には右把手４０が設けられているので、裏表に関係なく同じ操作で扉取付枠７０への両開き扉１０の着脱作業、及び両開き扉１０の開閉を行うことができ、便利である。
【００３５】
そして、右把手４０にも左把手３０同様のリンク装置５４が設けられている。この場合、右把手４０は、左把手３０の把手左軸３２の回動操作に対して、把手右軸４２の回動操作を逆に構成している。係る右把手４０は、当該右把手４０が水平方向から垂直方向に回動操作（反時計方向に回動操作）されると、右回動軸４４（右上回動軸４５、右下回動軸４６）は、扉取付枠７０の右係合孔８６（右上係合孔８７、右下係合孔８８）に係合される。また、右把手４０が垂直方向から水平方向に回動操作（時計方向に回動操作）されると、右回動軸４４（右上回動軸４５、右下回動軸４６）は、扉取付枠７０の右係合孔８６（右上係合孔８７、右下係合孔８８）より退く。
【００３６】
即ち、図１１に示すように右把手４０も左把手３０同様、把手右軸４２を支点に、右把手４０が垂直方向から水平方向に操作（時計方向に４０°〜６０°回動操作）されると、下横框２４より下方に突出している回動軸支持具６０は案内部材５０の案内孔５１に近接し、右下回動軸４６の下端は、下横枠７２の右下係合孔８８より脱出して（退いて）、下横框２４に設けた下挿通孔２５より内側（案内部材５０側）に移動させる。
【００３７】
また、上横框２２より上方に突出している右上回動軸４５の上端は、上横枠７１の右上係合孔８７より脱出して（退いて）、上横框２２に設けた上挿通孔２３より内側（案内部材５０側）に移動させる。即ち、右把手４０が垂直方向から水平方向に操作（時計方向に回動操作）されると、右回動軸４４（右上回動軸４５、右下回動軸４６）は、扉取付枠７０の右係合孔８６（右上係合孔８７、右下係合孔８８）に回動自在に係合した状態から退く。
【００３８】
また、右把手４０が水平方向から垂直方向に操作（反時計方向に回動操作）されると、右上回動軸４５の上端は、上横框２２より約１５．０ｍｍ〜２０．０ｍｍ上方に突出する。そして、上横框２２より上方に突出した右上回動軸４５の上端は、上横枠７１に設けられた右上係合孔８７内に所定寸法（約１．０ｍｍ〜５．０ｍｍ）挿入される。即ち、右把手４０が水平方向から垂直方向に回動操作（反時計方向に回動操作）されると、右回動軸４４（右上回動軸４５、右下回動軸４６）は、扉取付枠７０の右係合孔８６（右上係合孔８７、右下係合孔８８）に挿入され回動自在に係合される。
【００３９】
即ち、左右両把手３０、４０が垂直方向に延在している場合、左回動軸３４及び右回動軸４４は、左係合孔７６及び右係合孔８６内に係合し、左把手３０と右把手４０が把手左軸３２、把手右軸４２を中心に相互に近接する方向に回動された場合は、左回動軸３４及び右回動軸４４は、左係合孔７６及び右係合孔８６内から退くように構成されている。これにより、両開き扉１０を表パネル１４側及び裏パネル１６側のどちらの面から見た場合でも、左右両把手３０、４０を視認するだけで、左回動軸３４及び右回動軸４４が、左係合孔７６及び右係合孔８６内に係合しているか否かを一目瞭然で判別することができる。従って、両開き扉１０を複数枚並列に設置している場合、何れか一箇所の右回動軸４４が扉取付枠７０の左係合孔７６に係合されていない等といった不都合を確実に防止することができる。
【００４０】
そして、両開き扉１０を扉取付枠７０に取り付ける場合、先ず両開き扉１０の左把手３０及び右把手４０を相互に近接する方向に回動操作（図１）して、左回動軸３４及び右回動軸４４の上下端を扉枠２０（上横框２２、下横框２４）の内側に移動させる（図２）。この状態で、両開き扉１０を扉取付枠７０内に嵌め込み（図１３）、左回動軸３４及び右回動軸４４の上下端を左係合孔７６及び右係合孔８６に合わせ、左把手３０及び右把手４０を相互に離間する方向に回動操作して垂直方向に延在させる。
【００４１】
これにより、左回動軸３４及び右回動軸４４の上下端が左係合孔７６及び右係合孔８６に係合されて、扉取付枠７０に両開き扉１０が取り付けられる（図１４）。即ち、両開き扉１０が扉取付枠７０に取り付けられ、両開き扉１０の左右両側が同時に扉取付枠７０に拘束される。尚、扉取付枠７０に取り付けた両開き扉１０を取り外す場合は、両開き扉１０の左把手３０及び右把手４０を相互に近接する方向に回動させれば、左回動軸３４及び右回動軸４４の上下端が左係合孔７６及び右係合孔８６が同時に開放され、扉取付枠７０から両開き扉１０を取り外すことができる。即ち、両開き扉１０の左右両側が同時に扉取付枠７０から開放されて、両開き扉１０が扉取付枠７０から取り外される。
【００４２】
次に、扉取付枠７０に両開き扉１０が取り付けられた状態で、両開き扉１０の左側を開く場合、右把手４０が垂直方向に延在している状態で、左把手３０を反時計方向に回動させる。これにより、左回動軸３４（左上回動軸３５、左下回動軸３６）を、扉取付枠７０の左係合孔７６（左上係合孔７７、左下係合孔７８）より退かせることができるので、そのまま、左把手３０を引っ張れば、両開き扉１０は右回動軸４４を支点に開閉することができる（図１５矢印）。尚、左把手３０を引っ張って開閉するのではなく、左把手３０を押して開閉する両開き扉１０の場合は、左把手３０を押せば両開き扉１０を開閉することができる。
【００４３】
また、扉取付枠７０に両開き扉１０が取り付けられた状態で、両開き扉１０の右側を開ける場合、左把手３０が垂直方向に延在している状態で、右把手４０を時計方向に回動させる。これにより、右回動軸４４（右上回動軸４５、右下回動軸４６）を、扉取付枠７０の右係合孔８６（右上係合孔８７、右下係合孔８８）より退かせることができるので、そのまま、右把手４０を引っ張れば、両開き扉１０は右回動軸４４を支点にして開閉することができる（図１６矢印）。尚、右把手４０を引っ張って開閉するのではなく、右把手４０を押して開閉する両開き扉１０の場合は、右把手４０を押せば両開き扉１０を開閉することができる。
【００４４】
このように、外面１２の左右両側にそれぞれ配設された左把手３０、右把手４０と、内部の両側にそれぞれ配設され、上下方向に延在する左回動軸３４及び右回動軸４４とを備え、この左回動軸３４は、左把手３０に対する所定の操作に連動し、上下端部が外部に突出して扉取付枠７０の左係合孔７６に回動自在に係合した状態と、その状態から退いて左係合孔７６との係合が解除された状態とを選択可能とされている。そして、右回動軸４４は、右把手４０に対する所定の回動操作に連動し、上下端部が外部（扉枠２０の外部）に突出して扉取付枠７０の右係合孔８６に回動自在に係合した状態と、その状態から退いて右係合孔８６との係合が解除された状態とを選択可能とされているので、左把手３０を回動操作すれば、右回動軸４４を支点にして両開き扉１０の左側の開閉を行うことができると共に、右把手４０を操作すれば、左回動軸３４を支点にして両開き扉１０右側の開閉を行うことができる。これにより、例えば、どちらか開きたい方の左把手３０或いは右把手４０を回動操作すれば、左右の何れの方向からでも両開き扉１０の開閉を行うことが可能となる。
【００４５】
特に、左把手３０、右把手４０を同時に操作し、左回動軸３４、右回動軸４４を上下端部の扉取付枠７０から退かせれば、扉取付枠７０への両開き扉１０の着脱を行うことができる。これにより、宴会場や部屋の間仕切り箇所などに両開き扉１０の被取付面を設ければ、扉を複数枚並べて設置することができる。従って、両開き扉１０の利便性を大幅に向上させることができる。尚、この場合は、上下の被取付面には扉を複数枚並べて設置できるように左回動軸３４、右回動軸４４に対応して左係合孔７６、右係合孔８６を設ければよい。
【００４６】
また、左回動軸３４、右回動軸４４の下端部にそれぞれ設けられ、右係合孔８６に係合した状態でそれらの周囲の扉取付枠７０に当接する回動軸支持具６０を備え、扉取付枠７０（下横枠７２）に当接する回動軸支持具６０の下面をフッ素樹脂にて構成しているので、両開き扉１０の開閉時に回動軸支持具６０と扉取付枠７０とが直接接触することによる摩擦音（例えばキー音）などの異音発生もなく、円滑に開閉を行うことが可能となる。これにより、回動軸支持具６０に両開き扉１０の荷重、或いは、両開き扉１０の約２倍の大きな荷重を受けた場合でも、回動軸支持具６０或いは回動軸支持具６０下の扉取付枠７０に形成された係合孔（左下係合孔７８、右下係合孔８８）周囲が摩耗してしまうなどと言った不都合を未然に防止することができる。
【００４７】
特に、回動軸支持具６０の下側にワッシャ６６を装着するだけなので、長期間の使用によりワッシャ６６が摩耗した場合でも、容易にワッシャを交換することができる。これにより、長期間両開き扉１０を使用しても、両開き扉１０の開閉時に摩擦音などの異音発生を抑えることができ、また、回動軸支持具６０に長期間大きな荷重を受けた場合でも、回動軸支持具６０下の扉取付枠７０に形成された左下係合孔７８、右下係合孔８８周囲の摩耗を防止することができる。
【実施例２】
【００４８】
次に、図１７には本発明の他の実施例の両開き扉１０を示している。該両開き扉１０は、前述の実施形態と略同じ構成を有している。以下、異なる部分について説明する。尚、前述の実施の形態と同じ部分にはこれと同じ符号を付し、説明を省略する。両開き扉１０は、図１７に示すように左回動軸３４を構成する左下回動軸３６には段差部６２（本発明の回転座に相当）が形成されている。即ち、左下回動軸３６の下部に、当該左下回動軸３６よりも小径に形成された小径部３７が設けられ、そこに段差部６２が形成されている。該段差部６２は、前記回動軸支持具６０と同じ位置に形成されている。
【００４９】
そしてこの場合は、両開き扉１０の下横框２４に形成した下挿通孔２５は、左下回動軸３６より少許大径に形成されると共に、下横枠７２の左下係合孔７８は、左下回動軸３６の下部に設けた小径部３７より少許大径に形成されている。この段差部６２には、前記回動軸支持具６０同様下横枠７２側にフッ素樹脂加工が施されている。また、段差部６２にフッ素樹脂加工を施さず、小径部３７側からワッシャ６６（フッ素樹脂製ワッシャ）を挿着しても差し支えない。これにより、段差部６２が、左下係合孔７８に回動自在に当接すると共に、円滑に回動するように構成されている。
【００５０】
また、右回動軸４４を構成する右下回動軸４６にも左下回動軸３６同様の段差部６２が形成されている。即ち、右下回動軸４６の下部に、当該右下回動軸４６よりも小径に形成された小径部４７が設けられ、そこに段差部６２が形成されている。この場合も段差部６２には、下横枠７２側にフッ素樹脂加工が施されている。また、段差部６２にフッ素樹脂加工を施さず、小径部３７側からワッシャ６６を挿着しても差し支えない。そして、小径部４７が下横枠７２の左下係合孔７８（右下係合孔８８）に回動自在に構成されている。これにより、段差部６２が、左下係合孔７８（右下係合孔８８）に回動自在に当接すると共に、円滑に回動するように構成されている。
【００５１】
このように、回動軸支持具６０は荷重を受けるための段差部６２と、該段差部６２の下側に設けられたワッシャ６６を備え、このワッシャ６６をフッ素樹脂製ワッシャ、若しくは、フッ素樹脂がコーティングされたワッシャにて構成しているので、段差部６２にフッ素樹脂製ワッシャ、若しくは、フッ素樹脂がコーティングされたワッシャを装着するだけで、両開き扉１０の開閉時に摩擦音などが発生してしまうのを防止することができる。これにより、回動軸支持具６０の下面をフッ素樹脂にて構成するものに対して廉価に製造することが可能となる。
【００５２】
特に、段差部６２の下側にワッシャ６６を装着するだけなので、長期間両開き扉１０を使用することによりワッシャ６６が摩耗した場合でも、容易にワッシャを交換することができる。これにより、長期間両開き扉１０を使用しても両開き扉１０の開閉時に摩擦音などの異音発生を抑えることができ、また、段差部６２に長期間大きな両開き扉１０の荷重を受けた場合でも、段差部６２下の扉取付枠７０に形成された左下係合孔７８、右下係合孔８８周囲の摩耗を防止することができる。
【００５３】
尚、実施形態では、左回動軸３４及び右回動軸４４を円柱形状にて説明したが、両開き扉１０を回動自在に支持することができれば左回動軸３４及び右回動軸４４は円柱形状に限られるものでなく、円筒形状であっても差し支えない。この場合、左回動軸３４及び右回動軸４４の両端部を傾斜させて先端部が少許細くなるように構成すれば、左係合孔７６（左上係合孔７７、左下係合孔７８）及び右係合孔８６（右上係合孔８７、右下係合孔８８）に挿入し易くなり、被取付面への両開き扉１０の着脱作業を円滑に行うことができる。
【００５４】
また、両開き扉１０の左把手３０を反時計方向に回動することにより左上回動軸３５及び左下回動軸３６を左係合孔７６より解除し、時計方向に回動することにより左上回動軸３５及び左下回動軸３６を左係合孔７６に係合したが、左把手３０を時計方向に回動することにより左上回動軸３５及び左下回動軸３６を左係合孔７６に係合し、反時計方向に回動することにより左上回動軸３５及び左下回動軸３６を左係合孔７６より解除するようにしても差し支えない。同様に、右把手４０を時計方向に回動することにより右上回動軸４５及び右下回動軸４６を右係合孔８６より解除し、反時計方向に回動することにより右上回動軸４５及び右下回動軸４６を右係合孔８６に係合したが、右把手４０を反時計方向に回動することにより右上回動軸４５及び右下回動軸４６を右係合孔８６に係合し、時計方向に回動することにより右上回動軸４５及び右下回動軸４６を右係合孔８６より解除するようにしても差し支えない。
【００５５】
また、両開き扉１０を部屋の間仕切り、詳しくは、ホテルや旅館などの宴会場の間仕切りに使用することもできる。この場合、両開き扉１０を複数併設できるように、上横枠７１及び下横枠７２に設けた左係合孔７６（左上係合孔７７、左下係合孔７８）及び右係合孔８６（右上係合孔８７、右下係合孔８８）を敷居及び鴨居などの被取付面に複数設ける。詳しくは、両開き扉１０を密着して複数併設できるように左上係合孔７７、左下係合孔７８及び右上係合孔８７、右下係合孔８８を設ける必要がある。これにより、ホテルや旅館などの宴会場の間仕切りに両開き扉１０を使用することができる。従って、両開き扉１０の汎用性を大幅に向上させることができて便利である。
【００５６】
また、両開き扉１０の形状や寸法などを記載したが、両開き扉１０の要旨を逸脱しない範囲内でそれらの形状や寸法などを変更しても良いのは言うまでもない。勿論本発明は、上記各実施例のみに限定されるものではなく、この発明の趣旨を逸脱しない範囲で他の様々な変更を行っても本発明は有効である。
【図面の簡単な説明】
【００５７】
【図１】本発明の一実施例を示す両開き扉の正面図である（実施例１）。
【図２】本発明の一実施例を示す両開き扉（内部構成）の正面図（表パネルを図示せず）である。
【図３】本発明の一実施例を示す両開き扉（内部構成）の要部拡大正面図（表パネルを図示せず）である。
【図４】同図３の両開き扉のＡ−Ａ線矢視図である。
【図５】本発明の両開き扉が取り付けられる扉取付枠の正面図である。
【図６】本発明の両開き扉を構成するリンク装置の拡大図である。
【図７】第１の把手（左把手）を回動（反時計方向）させたときのリンク装置の説明図である。
【図８】第１の把手（左把手）を回動（時計方向）させたときのリンク装置の説明図である。
【図９】第１の把手（左把手）を回動（反時計方向）させたときの両開き扉の正面図である。
【図１０】同図９の第１の把手（左把手）を回動（時計方向）させたときの両開き扉（内部構成）の要部拡大正面図（表パネルを図示せず）である。
【図１１】第２の把手（右把手）を回動（時計方向）させたときのリンク装置の説明図である。
【図１２】同図１１の第２の把手（右把手）を回動（反時計方向）させたときの両開き扉（内部構成）の要部拡大正面図（表パネルを図示せず）である。
【図１３】扉取付枠への着脱可能状態を示す両開き扉の正面図である。
【図１４】扉取付枠へ取り付けた状態を示す両開き扉の正面図である。
【図１５】第１の把手（左把手）側の開閉状態を示す両開き扉の平面図である。
【図１６】第２の把手（右把手）側の開閉状態を示す両開き扉の平面図である。
【図１７】本発明の両開き扉を構成する第１の回動軸及び第２の回動軸（左回動軸及び右回動軸）の要部拡大正面図である（実施例２）。
【符号の説明】
【００５８】
１０  両開き扉
１２  外面
２０  扉枠
２２  上横框
２３  上挿通孔
２４  下横框
２５  下挿通孔
３０  左把手（第１の把手）
３２  把手左軸
３４  左回動軸（第１の回動軸）
３５  左上回動軸
３６  左下回動軸
４０  右把手（第２の把手）
４２  把手右軸
４４  右回動軸（第２の回動軸）
４５  右上回動軸
４６  右下回動軸
５０  案内部材
５１  案内孔
５４  リンク装置
５６  リンク部材
５８  補助アーム
６０  回動軸支持具
６６  ワッシャ
７０  扉取付枠
７１  上横枠
７２  下横枠
７６  左係合孔（第１の係合孔）
７７  左上係合孔
７８  左下係合孔
８６  右係合孔（第２の係合孔）
８７  右上係合孔
８８  右下係合孔
【図１】
2009299280.tif 000003
【図２】
2009299280.tif 000004
【図３】
2009299280.tif 000005
【図４】
2009299280.tif 000006
【図５】
2009299280.tif 000007
【図６】
2009299280.tif 000008
【図７】
2009299280.tif 000009
【図８】
2009299280.tif 000010
【図９】
2009299280.tif 000011
【図１０】
2009299280.tif 000012
【図１１】
2009299280.tif 000013
【図１２】
2009299280.tif 000014
【図１３】
2009299280.tif 000015
【図１４】
2009299280.tif 000016
【図１５】
2009299280.tif 000017
【図１６】
2009299280.tif 000018
【図１７】
2009299280.tif 000019